(57)【特許請求の範囲】
【請求項１】
液透過性の表面層、液不透過性の裏面層、及び該表面層と該裏面層との間に介在された液保持性の吸収部を有する吸収性物品において、
上記吸収部は、上記表面層の幅方向左右両側部にそれぞれ所定幅の１対の突堤が形成されるように配設されており、
１対の上記突堤それぞれの長さ方向に沿う両側端部内に、液体を吸収することにより弾性的に収縮する吸水収縮部材が、該突堤を所定長に亘って弾性的に収縮させるように備えられており、
上記吸収部は、厚さ０．３〜５ｍｍの吸収シートを備え、
上記吸収シートは、吸収性物品の長さ方向に折曲部を位置させて折り畳まれ積層されて１対の上記突堤を形成しており、上記吸水収縮部材は上記吸収シートに固定されているか、又は吸収シートの折り畳み部に介在されかつ吸収性物品の長さ方向両端部において固定されており、
上記吸収シートは、基底部と、該基底部に連設された１対の側片部とからなり、上記側片部は、上記基底部の左右両側縁から内側に折り込まれて上記基底部の上記裏面層側の左右両側部に重ねられていることを特徴とする吸収性物品。
【請求項２】
上記吸収シートは、紙又は不織布間に吸水性ポリマーを層状に介在させたシート、若しくは、親水性繊維と吸水性ポリマー及びバインダーを混合してシート状に形成したものであることを特徴とする請求項１記載の吸収性物品。
【発明の詳細な説明】
【０００１】
【発明の属する技術分野】
本発明は、生理用ナプキンや失禁パッド、母乳パッド等の、液透過性の表面層、液不透過性の裏面層、及び該表面層と該裏面層との間に介在された液保持性の吸収部を有する吸収性物品に関し、更に詳しくは、容易に製造でき、且つ体液の量や装着者の動作に係わらず液漏れを確実に防止できる吸収性物品に関する。
【０００２】
【従来の技術及び発明が解決しようとする課題】
一般に、生理用ナプキンや失禁パッド、母乳パッド等の吸収性物品として、液透過性の表面層、液不透過性の裏面層、及び該表面層と該裏面層との間に介在された液保持性の吸収部を有する吸収性物品はよく知られている。この様な吸収性物品は、血液、尿等の体液を速やかに吸収部へ移行させ、漏れさせることなく吸収・保持させることが要求される。
【０００３】
体液を漏れることなく吸収・保持させる吸収性物品としては、従来より、液体を吸収することにより弾性的に収縮する吸水収縮部材を用いたものがある。この様な吸収性物品は、吸水収縮部材が弾性を有していない状態で容易に製造できる利点がある。
この様な、吸水収縮部材を用いた吸収性物品としては、吸収部内の厚さ方向ほぼ中央全体に、複数の吸水収縮部材を吸収性物品の長さ方向に平行に備え、体液が浸入すると、吸水収縮部材の収縮により吸収部がシャーリングされるようになしたものや、吸収部の両側外方に、吸水収縮部材を吸収性物品の長さ方向を横切るように備え、体液が浸入すると吸水収縮部材の収縮により吸収部の両側外方が起立されるようになしたもの、吸収部の両側外方に、吸水収縮部材を吸収性物品の長さ方向に沿うように備え、体液が浸入すると吸水収縮部材の収縮により吸収性物品が長さ方向に湾曲した形状になるものがある。
【０００４】
しかし、吸収部をシャーリングする吸収性物品では、吸水収縮部材が吸収体内部の厚さ方向ほぼ中央全体に亘って存在し、吸収性物品全体として小さな凹凸が形成されるため、装着者の動作によっては漏れを生じやすい問題点がある。また、吸収部の側外方を起立させる吸収性物品では、起立する側外方は体液吸収能を備えていないので、装着者の動作によっては体液が側外方を越えて漏れを生じ得る問題点がある。更に、吸収性物品を長さ方向に湾曲させものでは、吸水収縮部材が吸収体の側外方に配設されているので、吸収体が吸水収縮部材と一体に収縮せず、吸収性物品が効果的に湾曲しなかったり、フィット性が悪くなるおそれがあり、また最も生じやすい吸収性物品の側縁における液漏れが解消されない問題点がある。加えてまた、上記いずれの従来の吸収性物品も、吸収性物品の体液の吸収容量そのものは向上されていないので、多量の体液に対して対応できずに漏れを生じる場合がある。
【０００５】
従って、本発明の目的は、容易に製造でき、且つ体液の量や装着者の動作に拘わらず身体とのフィット性が高く液漏れを確実に防止できる吸収性物品を提供することにある。
【０００６】
【課題を解決するための手段】
本発明は、液透過性の表面層、液不透過性の裏面層、及び該表面層と該裏面層との間に介在された液保持性の吸収部を有する吸収性物品において、
上記吸収部は、上記表面層の幅方向左右両側部にそれぞれ所定幅の１対の突堤が形成されるように配設されており、
１対の上記突堤それぞれの長さ方向に沿う両側端部内に、液体を吸収することにより弾性的に収縮する吸水収縮部材が、該突堤を所定長に亘って弾性的に収縮させるように備えられており、
上記吸収部は、厚さ０．３〜５ｍｍの吸収シートを備え、
上記吸収シートは、吸収性物品の長さ方向に折曲部を位置させて折り畳まれ積層されて１対の上記突堤を形成しており、上記吸水収縮部材は上記吸収シートに固定されているか、又は吸収シートの折り畳み部に介在されかつ吸収性物品の長さ方向両端部において固定されており、
上記吸収シートは、基底部と、該基底部に連設された１対の側片部とからなり、上記側片部は、上記基底部の左右両側縁から内側に折り込まれて上記基底部の上記裏面層側の左右両側部に重ねられていることを特徴とする吸収性物品を提供することにより、上記目的を達成したものである。
【０００７】
【発明の実施の形態】
以下、本発明の吸収性物品の実施形態を図面を参照しながら具体的に説明する。尚、以下に述べる実施形態のうち第１の実施形態が本発明の実施形態であり、第２の実施形態は参考例としての実施形態である。第１及び第２の実施形態において、表面層として液透過性の表面シートが、裏面層として液不透過性の裏面シートが、それぞれ用いられている。
【０００８】
図１は、本発明の吸収性物品の第１の実施形態としての生理用ナプキンを示す斜視図、図２は図１の生理用ナプキンのＩ−Ｉ線矢視断面図、図３は図１の生理用ナプキンの体液吸収後の状態を示す斜視図、図４は図１の生理用ナプキンの体液吸収後の状態を示すＩ−Ｉ線矢視断面図である。
【０００９】
本実施形態の生理用ナプキン１は、図１又は図２に示すように、液透過性の表面層１０、液不透過性の裏面層２０、及び該表面層１０と該裏面層２０との間に介在された液保持性の吸収部３０を有する。これらの各構成については従来の公知技術と同じである。
而して、本実施形態の生理用ナプキン１では、上記吸収部３０，３０は、上記表面層１０の幅方向左右両側部にそれぞれ所定幅の１対の突堤４０，４０が形成されるように配設されており、１対の上記突堤４０，４０それぞれの長さ方向に沿う両側端部内に、液体を吸収することにより弾性的に収縮する吸水収縮部材５０，５０が、該突堤４０，４０を所定長に亘って弾性的に収縮させるように備えられている。
【００１０】
本実施形態について詳述すると、上記吸収部３０は、厚さ０．３〜５ｍｍの吸収シート３１のみからなっており、上記吸収シート３１は、生理用ナプキン１の長さ方向に折曲部を位置させて折り畳まれ積層されて１対の上記突堤４０，４０を形成している。上記吸水収縮部材５０，５０は上記吸収シート３１に固定されている。
【００１１】
本実施形態について更に詳述すると、上記吸収シート３１は、中央帯状部３１ａと、該中央帯状部３１ａに連設された１対の側片部３１ｂ，３１ｂとからなっている。この側片部３１ｂ，３１ｂは、上記中央帯状部３１ａの左右両側縁から内側に折り込まれて上記中央帯状部３１ａの上記裏面層２０側の左右両側部に重ねられた後幅方向外方に向かって折り返されており、吸収シート３１の中央帯状部３１ａと側片部３１ｂ，３１ｂとの連設部に、該中央帯状部３１ａと側片部３１ｂ，３１ｂとの面接する側から吸水収縮部材５０，５０が固定されている。この吸水収縮部材５０，５０は上記連設部の全長に亘って設けられており、体液を吸収することにより突堤４０，４０を長さ方向に全長に亘って弾性的に収縮させギャザーを形成させるようになっている。
【００１２】
そして、上記吸収シート３１は、その全面が表面層１０と積層され、該表面層１０は、上記吸収シート３１と一体に且つ同様の折り畳み形態に折曲されている。吸収シート３１と表面層１０との積層は、吸収シート３１に表面層１０を単に重ね合わせる他、接着剤やヒートシールにより貼り合わせることによっても行うことができる。表面層１０は、吸収シート３１の周囲まで延在されており、吸収シート３１の周囲において裏面層２０と固着されている。
上記裏面層２０は、その外側面に、粘着剤を塗布することにより長さ方向に２本の粘着部２５，２５が形成されており、この粘着部２５，２５は剥離紙６０により被覆されている。そして、生理用ナプキン１の装着直前に剥離紙６０を剥離して粘着部２５，２５を露出し、装着時に粘着部２５，２５を衣類に粘着させて生理用ナプキン１のずれを防止できるようになっている。
【００１３】
上記吸収シート３１としては、吸収紙や不織布、繊維をバインダー等でシート化したパルプシート、及び繊維に高吸収性ポリマーを混合してシート状に形成したもの等のシートを用いることができ、過度に吸水収縮繊維が収縮しないよう体液吸収能の高いものが好ましく、繊維に高吸収性ポリマーを混合してシート状に形成したものが好ましい。尚、繊維に高吸収性ポリマーを混合してシート状に形成したものとしては、高吸収性ポリマーが層状に分散されているもの、三次元状に分散されているもののいずれも用いることができる。
この吸収シート３１の厚さは、好ましくは０．３〜５ｍｍであり、より好ましくは０．３〜３ｍｍ、最も好ましくは０．３〜１．５ｍｍである。０．３ｍｍ未満では、フィット性の向上や体液吸収容量の増加等の充分な効果を得ることのできる突堤４０，４０を形成し難く、また折り畳み時に剛性が小さすぎてヨレてしまう場合があり、５ｍｍ超では吸収シート３１の剛性が過大となってフィット性を損なって所望の効果が得られず、装着者に違和感を与えてしまうからである。
【００１４】
上記繊維又は親水性繊維としては、木材パルプ等のセルロース繊維、レーヨン、キュプラ等の再生セルロース繊維、ポリビニルアルコール繊維やポリアクリロニトリル繊維等の親水性合成繊維、若しくは、界面活性剤等で繊維表面を親水化したポリエチレン、ポリプロピレン、ポリエチレンテレフタレート、ポリエチレン／ポリプロピレン複合繊維、ポリエチレン／ポリエチレンテレフタレート複合繊維が好ましく、セルロース繊維がより好ましい。
【００１５】
更に、バインダーを混合して吸収シート３１を形成する場合の該バインダーとしては、熱溶融性接着繊維又は／及び紙力補強剤を用いることが、湿潤時の強度の点からは好ましい。
上記熱溶融性接着繊維としては、加熱により溶融し相互に接着する繊維を用いることができ、具体的には、例えば、ポリエチレン、ポリプロピレン及びポリビニルアルコール等のポリオレフィン系繊維、ポリエステル系繊維、ポリエチレン−ポリプロピレン複合繊維、ポリエチレン−ポリエステル複合繊維、低融点ポリエステル−ポリエステル複合繊維、繊維表面が親水性であるポリビニルアルコール−ポリプロピレン複合繊維、並びにポリビニルアルコール−ポリエステル複合繊維等を挙げることができる。複合繊維を用いる場合には、芯鞘型複合繊維及びサイド・バイ・サイド型複合繊維の何れをも用いることができる。これらの熱溶融性接着繊維は、各々単独で用いることもでき、又は２種以上を混合して用いることもできる。本発明において好ましく用いられる熱溶融性接着繊維としては、熱水で溶解するポリビニルアルコール繊維、芯鞘型のポリエステル繊維等を挙げることができる。またこれらの熱溶融性接着繊維は、一般にその繊維長が２〜６０ｍｍであることが好ましく、繊維径は０．１〜３デニール（特に０．５〜３デニール）であることが好ましい。
上記紙力補強剤としてはポリアミン・エピクロルヒドリン樹脂、ジアルデヒドデンプン、カイメン、カルボキシメチルセルロース等を挙げることができる。
【００１６】
好ましい上記吸収シート３１としては、親水性繊維及び熱溶融性接着繊維または紙力補強剤並びに高吸収性ポリマーとから構成され、上記高吸収ポリマーは、上記吸収シートが液体を吸収する吸収表面には存在せず、該吸収シートの内部に分散配置されており、且つ該吸収シートを構成する親水性繊維に接着し固定化されており、上記高吸収ポリマーの散布坪量は５〜３００ｇ／ｍ2 であり、上記吸収シート３１の厚みが０．３〜１．５ｍｍである高吸収シートが挙げられる。
また、更に好ましい上記吸収シートとしては、嵩高性の親水性繊維及び熱溶融性接着繊維または紙力補強剤から形成された繊維構造体と高吸収性ポリマー粒子とから構成され、上記高吸収性ポリマー粒子は上記吸収シートが液体を吸収する吸収表面には存在せず、上記繊維構造体中に分散固定されており、上記高吸収性ポリマーの散布坪量が２０〜７０ｇ／ｍ2 であり、上記吸収シートの厚みが０．３〜１．５ｍｍである高吸収シートが挙げられる。
【００１７】
この様な高吸収シートは、１枚のシート中に高吸収性ポリマーが３次元的に分散・固定されている為に、該高吸収性ポリマーの吸収能が効果的に発揮され、また、ポリマーのゲルブロッキングも少ない為、体液がスムースに吸収シート中を伝達し易く、体液の排出量に応じて適度な吸水収縮繊維の収縮とより高い吸収能を得る為好ましく使用できる。
【００１８】
上記突堤４０，４０は、突堤４０，４０が装着者に違和感を与えず、且つ吸収シート３１が突堤４０，４０において良好な体液吸収量を呈するためには、それぞれの幅Ｗが３〜３０ｍｍであることが好ましく、５〜２０ｍｍであることがより好ましい。また、突堤４０，４０の高さＴは１〜１０ｍｍであることが好ましく、１〜５ｍｍがより好ましい。高さＴが１ｍｍ未満では、液漏れが有効に回避できない場合があり、１０ｍｍ超では、装着者に違和感を与えるからである。
また、上記吸収シート３１の折り込み幅（中央帯状部３１ａの左右両側縁から中央帯状部３１ａの裏面層２０側において折り返されるまでの幅方向の距離）は、左右両側部を合わせて、中央帯状部３１ａの幅の２分の１以上であればよい。
【００１９】
上記吸水収縮部材５０，５０は、フィルム、繊維、繊維から作られる糸、発泡体等を特に制限することなく用いることができるが、体液を含浸させると１０％以上収縮するものが好ましく、２０％以上収縮するものがより好ましい。またこの吸水収縮部材５０，５０の材料としては、綿、レーヨン等のセルロース繊維の変成物、例えばカルボキシメチル化綿、メチル化綿、エチル化綿、ヒドロキシエチル化綿、硫酸化綿、スルホン化綿、リン酸化綿、カチオン化綿、両性イオン化綿、アクリル酸ソーダ、アクリル酸、アクリロニトリル、アクリルアミドをセルロース繊維にグラフト化したもの等及びそれらの架橋物、更に羊毛、絹等の上記の如き変成物、又合成繊維の変成物、例えばアクリロニトリル系繊維の部分ケン化物、ビニロンの部分マレイン酸エステル化物等の繊維及び繊維から作られる糸等が挙げられる。
また、上記吸水収縮繊維の吸水した時の強度を向上させる為、非収縮繊維若しくは糸と混合して混撚糸したものも好ましく使用される。
【００２０】
上記吸水収縮部材５０，５０は、突堤４０，４０を装着者の当接部位に良好に適応する形状に湾曲させるためには、該突堤４０，４０の少なくとも略中央部を長さ方向に収縮させるものであることが好ましい。
上記粘着部２５，２５を形成する粘着剤、及び剥離紙６０としては、従来より用いられているものを特に制限なく用いることができる。
【００２１】
本実施形態の生理用ナプキン１では、突堤４０，４０が装着者に当接され、体液は突堤４０，４０に浸入し、まず吸収シート３１の中央帯状部３１ａにおいて吸収される。そして、中央帯状部３１ａにおいて吸収されなかった体液は側片部３１ｂ，３１ｂへ移行する。この時、吸水収縮部材５０，５０が体液により弾性的に収縮し、図３及び図４に示すように、吸収部３０が装着者の当接部位に適応して長さ方向に全長に亘って湾曲され、より一層突堤４０，４０が肌当接面側に起立される。側片部３１ｂ，３１ｂへ移行した体液は側片部３１ｂ，３１ｂの折り畳み形態に沿って又は直接裏面層２０側の層へ移行・吸収される。
【００２２】
本実施形態の生理用ナプキン１によれば、左右両側部の突堤４０，４０が身体との隙間を埋め、効果的に防漏壁を形成し体液を塞き止めると共に、突堤４０，４０が吸収部３０により形成されているので、左右両側部においても多量の体液が吸収部３０中に吸収される。従って、体液が多量の場合や装着者の動作が激しい場合にも、左右両側部における体液の漏れが良好に防止される。
本実施形態の生理用ナプキン１によれば、体液が所定量を超えると、吸水収縮部材５０，５０の収縮により突堤４０，４０が装着者の当接部位に適応して長さ方向に湾曲されると共に、左右両側部の突堤４０，４０がより一層身体とフィットして、装着者の動きにかからわず、漏れが良好に防止される。
本実施形態の生理用ナプキン１によれば、吸水収縮部材５０，５０が弾性を有さず且つ突堤４０，４０が収縮されていない状態で、容易に製造をすることができる。
【００２３】
特に、本実施形態の生理用ナプキン１によれば、吸水収縮部材５０，５０の収縮により突堤４０，４０が生理用ナプキン１の左右両側部から装着者の肌側に起立した状態に保持されるので、体液が大量である場合にも、装着者の動きが激しい場合にも、確実に液漏れを防止することができる。
特に、本実施形態の生理用ナプキン１によれば、突堤４０，４０が吸収シート３１により形成されているので、吸水収縮部材５０，５０を吸収シート３１に固定し若しくは吸収シート３１に介在させ生理用ナプキン１の両端部において固定することによって、突堤４０，４０に容易に吸水収縮部材５０，５０を配設することができる。そして、吸水収縮部材５０，５０を吸収シート３１に固定又は介在させると、吸水収縮部材５０，５０の収縮により吸収部３０に形成されるギャザー状の凹凸が比較的小さく、表面層１０側の肌触りがほとんど悪化されずに良好な装着感が維持される。
特に、本実施形態の生理用ナプキン１によれば、突堤４０，４０における多層構造が一枚の吸収シート３１を折り畳むことにより形成されているので、体液が吸収シート３１に沿って速やかに突堤４０，４０内を移行・吸収され、液漏れが良好に防止される。
【００２４】
図５は、本発明の参考例としての第２の実施形態の生理用ナプキンを示す斜視図、図６は図５の生理用ナプキンのＶ−Ｖ線矢視断面図、図７は図５の生理用ナプキンの体液吸収後の状態を示す斜視図、図８は図５の生理用ナプキンの体液吸収後の状態を示すＶ−Ｖ線矢視断面図である。尚、本実施形態において図１乃至図４に示す第１の実施形態と同一の部材に関しては同一の符号を付し、説明は省略する。
【００２５】
本実施形態の生理用ナプキン２では、図５及び図６に示すように、吸収シート３１の側片部３１ｃ，３１ｃは、中央帯状部３１ａの左右両側縁から内側に折り込まれて中央帯状部３１ａの表面層１０側に重ねられた後折り返されている。表面層１０は、この吸収シート３１と一体に、吸収シート３１と同様の折り畳み形態に折曲されている。
また、吸収シート３１の中央帯状部３１ａと裏面層２０との間には、帯状の補助シート３２が配設されており、裏面層２０近くにおける体液吸収量が増加されている。この補助シート３２としては、吸収シート３１と同様のものを用いることができる。
本実施形態において吸収シート３１及び表面層１０の折り畳み形態が異なること及び補助シート３２が配設されていること以外の構成は上述の第１の実施形態と同じである。
【００２６】
本実施形態の生理用ナプキン２によっても、吸水収縮部材５０，５０の収縮により、図７及び図８に示すように、吸収部３０が装着者の当接部位に適応して長さ方向に湾曲され、且つ突堤４０，４０が起立され、上述の第１の実施形態と同様の作用及び効果を得ることができる。
更に、本実施形態の生理用ナプキン２によれば、防漏壁として機能する突堤４０，４０が内側に折り畳まれているために、体液吸収後は生理用ナプキン２が器の様に形成され、より一層効果的に体液の吸収・保持量が増加する。
【００２７】
本発明は上述した実施形態に限定されるものではなく、各部材の具体的な形状や寸法等は、本発明の趣旨を逸脱しない限りにおいて適宜変更可能である。
例えば、上記各実施形態において、吸収シート３１全面は表面層１０と積層されておらず、折曲された吸収シート３１のうち折り込まれず露出されている面のみが、表面層１０と積層されていてもよい。この様な生理用ナプキンの一例として、図５乃至図８に示す第２の実施形態において、吸収シート３１のうち折り込まれず露出されている面のみが、表面層１０と積層されている生理用ナプキン３を、図９に示す。
上記各実施形態において、吸収部３０の側外方に、図２及び図６に点線で示す如く裏面層２０の側縁部を延長して防漏壁２０’，２０’を形成させて、又は液不透過性の防漏材を配置させて、一層確実に液漏れを防止してもよい。この防漏壁２０’，２０’や防漏材は吸収部３０と表面層１０との間に介在させても、表面層１０の外方に配置させてもよい。これらの場合、吸収シート３１の周囲において表面層１０、及び防漏壁２０’，２０’又は防漏材を熱溶着により裏面層２０と固着すことにより、防漏壁２０’，２０’又は防漏材を起立させた状態に保持するとより良好な効果を得ることができる。
【００２８】
上記各実施形態において、吸収部３０を吸収シート３１よりも厚い吸収パッドにより形成してもよい。
また、図１乃至図４に示す第１の実施形態においても図５乃至図８に示す第２の実施形態と同様に吸収部に補助シートを備えてもよい。
更に、上記各実施形態において、吸収シート３１の側片部３１ｂ，３１ｂ，３１ｃ，３１ｃを、裏面層２０の側縁近傍から再び折り返して裏面シート２０上に配置することによって、補助シート３２と同様の効果を得ることもできる。
上記各実施形態において、吸収シート３１の側片部３１ｂ，３１ｂ，３１ｃ，３１ｃをもっと多数回折り重ね、突堤４０，４０をもっと多数層に形成してもよい。
上記各実施形態において、突堤４０，４０における多層構造を複数の吸収シートによって形成させてもよい。
上記各実施形態において、吸収シート３１と表面層１０とは、一枚のシート化したものを用いることもできる。
吸収性物品は、失禁パッドや母乳パッド等の、生理用ナプキン以外のものでもよい。
【００２９】
【発明の効果】
以上説明した様に、請求項１に記載の発明によれば、吸収性物品が装着者の当接部位に適応して長さ方向に湾曲し、且つ突堤によって吸収されず表面層に残留する体液の左右両側部からの流出が回避され更に突堤において多量の体液が吸収されるので、体液の量や装着者の動作に係わらず液漏れが確実に防止される。また、吸水収縮部材が弾性を有さず突堤が収縮されていない状態で、吸収性物品を容易に製造をすることができる。更に、突堤が起立されるので、より多量の体液に対しても漏れを確実に防止することができる。
【図面の簡単な説明】
【図１】本発明の吸収性物品の第１の実施形態としての生理用ナプキンを示す斜視図である。
【図２】図１の生理用ナプキンのＩ−Ｉ線矢視断面図である。
【図３】図１の生理用ナプキンの体液吸収後の状態を示す斜視図である。
【図４】図１の生理用ナプキンの体液吸収後の状態を示すＩ−Ｉ線矢視断面図である。
【図５】本発明の吸収性物品の第２の実施形態としての生理用ナプキンを示す斜視図である。
【図６】図５の生理用ナプキンのＶ−Ｖ線矢視断面図である。
【図７】図５の生理用ナプキンの体液吸収後の状態を示す斜視図である。
【図８】図５の生理用ナプキンの体液吸収後の状態を示すＶ−Ｖ線矢視断面図である。
【図９】本発明の吸収性物品の他の実施形態を示す縦断面図であって、第１の実施形態における図２に相当する図である。
【符号の説明】
１    生理用ナプキン
２    生理用ナプキン
３    生理用ナプキン
１０    表面層
２０    裏面層
２０’  防漏壁
２５    粘着部
３０    吸収部
３１    吸収シート
３１ａ  中央帯状部
３１ｂ  側片部
３１ｃ  側片部
３２    補助シート
３３    吸収パッド
４０    突堤
５０    吸水収縮部材
６０    剥離紙
【図１】
0003751074.tif 000002
【図２】
0003751074.tif 000003
【図３】
0003751074.tif 000004
【図４】
0003751074.tif 000005
【図５】
0003751074.tif 000006
【図６】
0003751074.tif 000007
【図７】
0003751074.tif 000008
【図８】
0003751074.tif 000009
【図９】
0003751074.tif 000010